(57)【要約】【課題】狭いスペースにボルトとナットを送り込んでボルト締めすることができるボルト締め工具と、このボルト締め工具を用いた壁パネル連結工法を提供する。【解決手段】ボルト締め工具１はシャフト支持体としての直線状パイプよりなるカラム２と、該カラム２に回転自在かつ軸心線方向に進退自在に挿通されたシャフト３と、該シャフト３の先端に一体的に設けられたヘッド４と、該ヘッド４に設けられたボルト装着部５と、シャフト３に対しブラケット７及びビス８を介して取り付けられた延出体１０と、該延出体１０の対峙部１１に設けられたナット装着部１２とを備えている。ボルト１５とナット１６とを装着しておいたボルト締め工具１を壁パネル２０Ｂの裏側のスペースに差し込み、シャフト３を前進させ、ボルト１５をフレーム２１及びＬアングル２５のボルト挿通孔に通し、ナット１６にねじ込む。【選択図】図１
2008279578.tif 000002
【特許請求の範囲】
【請求項１】
回転自在なシャフトと、該シャフトの先端に設けられた、ボルト頭部が嵌合するボルト装着部とを有し、ボルトが該シャフトと同軸となるように該ボルト装着部に保持されるボルト締め工具において、
該シャフトが進退可能に挿通されたシャフト支持体と、
該シャフト支持体に連なっており、前記ボルト装着部よりも前方にまで延出し、且つ延出方向の先端側が、前記ボルト装着部と対峙する対峙部となっている延出体と、
該対峙部に設けられた、ナットが該ボルト装着部に対面する側から装着されるナット装着部とを備えてなることを特徴とするボルト締め工具。
【請求項２】
請求項１において、前記ナット装着部は、ナットを保持するためのマグネットを有することを特徴とするボルト締め工具。
【請求項３】
請求項１又は２において、前記シャフト支持体は筒状であることを特徴するボルト締め工具。
【請求項４】
請求項１ないし３のいずれか１項において、前記シャフト支持体に照明具が取り付けられていることを特徴とするボルト締め工具。
【請求項５】
周縁から背後方向に突設されたフランジを有する壁パネルの該フランジを相手方部材に連結する壁パネル連結工法において、
該フランジ及び該相手方部材にそれぞれボルト挿通口が設けられており、
請求項１ないし４のいずれか１項に記載のボルト締め工具のボルト装着部にボルトを装着し、ナット装着部にナットを装着し、
該ナットとボルトとの間に該フランジ及び相手方部材が介在するようにボルト締め工具を壁パネルの背後に配置し、
次いで、シャフトを前進させてボルトを前記ボルト挿通口に挿通させると共にシャフトを回転させてボルトをナットにねじ込み、その後、ボルト締め工具を壁パネル背後から抜き出すことを特徴とする壁パネル連結工法。
【発明の詳細な説明】
【技術分野】
【０００１】
本発明は、ボルト締め工具に係り、特にユニットルーム用壁パネルの背後などの狭いスペースでボルト締め作業を行うのに好適なボルト締め工具に関する。また、本発明は、このボルト締め工具を用いた壁パネル連結工法に関する。
【背景技術】
【０００２】
ユニットバスルームなどのユニットルームを構築する場合、建物の躯体壁面に沿って壁パネルを立て込み、壁パネル同士や、壁パネルとコーナー縦アングルとを連結する場合がある。この場合、壁パネルと躯体壁面との間隔が小さいと、ボルトによる連結作業ができないので、各種の内組み金具を用いて嵌合方式により壁パネルの連結を行っている。このような内組み金具を用いた場合、壁パネルに反りがあった場合に矯正することができないという不便がある。
【０００３】
狭いスペースでのボルト締め作業を行うための工具として、長い六角ボルト用ビットが実開平５−５６３５９に記載されている。
【特許文献１】実開平５−５６３５９
【発明の開示】
【発明が解決しようとする課題】
【０００４】
上記の実開平５−５６３５９の六角ボルト用ビットは、ナットを保持することができない。そのため、狭いスペースの奥に予め雌ねじが設けられていたり、ナットが溶接等によって固定されている場合にしか用いることができない。
【０００５】
本発明は、上記従来の問題点を解消し、狭いスペースにボルトとナットを送り込んでボルト締めすることができるボルト締め工具と、このボルト締め工具を用いた壁パネル連結工法を提供することを目的とする。
【課題を解決するための手段】
【０００６】
請求項１のボルト締め工具は、回転自在なシャフトと、該シャフトの先端に設けられた、ボルト頭部が嵌合するボルト装着部とを有し、ボルトが該シャフトと同軸となるように該ボルト装着部に保持されるボルト締め工具において、該シャフトが進退可能に挿通されたシャフト支持体と、該シャフト支持体に連なっており、前記ボルト装着部よりも前方にまで延出し、且つ延出方向の先端側が、前記ボルト装着部と対峙する対峙部となっている延出体と、該対峙部に設けられた、ナットが該ボルト装着部に対面する側から装着されるナット装着部とを備えてなることを特徴とするものである。
【０００７】
請求項２のボルト締め工具は、請求項１において、前記ナット装着部は、ナットを保持するためのマグネットを有することを特徴とするものである。
【０００８】
請求項３のボルト締め工具は、請求項１又は２において、前記シャフト支持体は筒状であることを特徴するものである。
【０００９】
請求項４のボルト締め工具は、請求項１ないし３のいずれか１項において、前記シャフト支持体に照明具が取り付けられていることを特徴とするものである。
【００１０】
請求項５の壁パネル連結工法は、周縁から背後方向に突設されたフランジを有する壁パネルの該フランジを相手方部材に連結する壁パネル連結工法において、該フランジ及び該相手方部材にそれぞれボルト挿通口が設けられており、請求項１ないし４のいずれか１項に記載のボルト締め工具のボルト装着部にボルトを装着し、ナット装着部にナットを装着し、該ナットとボルトとの間に該フランジ及び相手方部材が介在するようにボルト締め工具を壁パネルの背後に配置し、次いで、シャフトを前進させてボルトを前記ボルト挿通口に挿通させると共にシャフトを回転させてボルトをナットにねじ込み、その後、ボルト締め工具を壁パネル背後から抜き出すことを特徴とするものである。
【発明の効果】
【００１１】
本発明のボルト締め工具を用いてボルト締めを行うには、ボルト装着部とナット装着部にそれぞれボルトしナットを装着しておく。
【００１２】
そして、このボルト締め工具を狭いスペースに差し込み、ボルトとナットとの間に被連結部材を介在させる。次いで、シャフトを前進させて被連結部材に設けられたボルト挿通口にボルトを挿通し、ボルトの先端をナットにあてがう。これに先行して、又はこの後に、シャフトを電動工具などによって回転させ、ボルトをナットにねじ込む。このようにして、狭いスペースにおいてもボルトとナットを持ち込んで被連結部材同士をボルト締めによって強固に連結することができる。
【００１３】
本発明の壁パネル連結工法は、かかるボルト締め工具を用いたものであり、壁パネルに反りがあってもこの反りを矯正することができる。
【００１４】
このナット装着部にマグネットを設けておけば、ナットをしっかりと保持しておくことができる。
【００１５】
シャフト支持体として筒状のものを用いることにより、狭いスペースにもボルト締め工具を容易に差し込むことができる。
【００１６】
シャフト支持体に照明具を設けておくことにより、狭くて暗いスペースでの作業効率を高めることができる。
【発明を実施するための最良の形態】
【００１７】
以下、図面を参照して実施の形態について説明する。
【００１８】
第１図は実施の形態に係るボルト締め工具の斜視図、第２図はこのボルト締め工具の平面図、第３図はこのボルト締め工具の正面図、第４図〜第８図はこのボルト締め工具を用いた壁パネル連結工法を示す水平断面図である。
【００１９】
第１図〜第３図の通り、このボルト締め工具１は、シャフト支持体としての直管状パイプよりなるカラム２と、該カラム２に回転自在かつ軸心線方向に進退自在に挿通されたシャフト３と、該シャフト３の先端に一体的に設けられたヘッド４と、該ヘッド４に設けられたボルト装着部５と、シャフト３に対しブラケット７及びビス８を介して取り付けられた延出体１０と、該延出体１０の対峙部１１に設けられたナット装着部１２とを備えている。
【００２０】
図示は省略するが、シャフト３の後端は、カラム２の後端よりも後方に突出しており、このシャフト３の後端に電動工具の回転軸との連結用チャックが設けられている。
【００２１】
シャフト３の先端は、カラム２の先端から突出しており、シャフト３の先端にヘッド４が固着されている。ヘッド４は、シャフト３と同軸の略円柱形の部材であり、その先端面には、ボルト１５の六角形の頭部１５ａが嵌合する六角形の凹穴よりなるボルト装着部５が設けられている。このボルト装着部５の凹穴はシャフト３と同軸に設けられている。
【００２２】
このボルト装着部５の内周面からは弾性ピン（図示略）が突出している。このピンは、ボルト装着部５に差し込まれたボルト１５の頭部１５ａの側面に弾性的に当接し、ボルト１５を保持する機能を有している。ボルト１５の先端からは、細いガイド軸部が突設されている。
【００２３】
延出体１０は、カラム２と平行な長板部１３と、長板部１３の先端から垂直に起立する短板状の対峙部１１とを有したＬ字形部材である。この長板部１３がブラケット６及びビス７によってカラム２に固定されている。長板部１３の先端側はヘッド４の先端よりも前方に延出している。
【００２４】
この長板部１３の先端に連なる対峙部１１は、ヘッド４の先端面と平行となっている。この対峙部１１に設けられたナット装着部１２は円形凹穴である。ナット装着部１２に装着されるナット１６は、六角形のナット本体１６ａと、このナット本体１６ａの一端側から拡径する円板形フランジ１６ｂとを有した座付きナットである。
【００２５】
ナット装着部１２を構成する凹穴の直径は、このナット本体１６ａの長径よりもごく微かに大きく、フランジ１６ｂの直径よりも小さい。ナット装着部１２の奥側にはマグネット１４が設けられており、ナット１６を吸着保持するよう構成されている。
【００２６】
このボルト締め工具１を用いてボルト締めを行うには、ボルト装着部５にボルト１５の頭部１５ａを嵌合保持させると共に、ナット装着部１２にナット１６を嵌合保持させる。ナット１６は、そのフランジ１６ｂが対峙部１１の凹穴周縁に重なるようにして保持される。
【００２７】
そして、ボルト１５とナット１６との間にボルト締めされる被連結部材を介在させる。次いで、シャフト３を押して前進させ、この被連結部材に設けられたボルト挿通孔にボルト１５を通し、ボルト１５の先端のガイド軸部をナット１６に差し込む。その後、電動工具を作動させてシャフト３及びボルト１５を回転させ、ボルト１５をナット１６にねじ込む。ねじ込み終了後、シャフト３を後退させ、ヘッド４をボルト１５から離反させると共に、カラム２及び延出体１０を前進させてナット装着部１２をナット１６から離反させる。
【００２８】
シャフト３を長尺のものとしておくことにより、このボルト締め工具を用いて壁パネルの裏側にて壁パネルの連結作業を効率よく行うことができる。この壁パネル連結作業の一例について第４図〜第８図を参照して説明する。
【００２９】
第４図において、壁パネル２０（２０Ａ，２０Ｂ）はいずれもタイルパネルであり、壁パネル２０の周縁に沿う枠状のフレーム２１と、このフレーム２１の前面側にビス及び接着剤を用いて固着されたセメント板等よりなる下地板２２と、この下地板２２に接着されたタイル２３とを有する一方の壁パネル２０（２０Ａ）の縦辺に沿うフレーム２１にはＬアングル２５がボルト２６によって予め取り付けられている。
【００３０】
この一方の壁パネル２０Ａをユニットバスルーム等の床を構成する防水パンの一辺部に立設する。この防水パンの一辺部に直交する辺部に壁パネル２０Ｂを立て、その縦方向のフレーム２１をＬアングル２５に当接させる。この壁パネル２０Ｂの背後には建物躯体壁面（図示略）が近接している。
【００３１】
なお、Ｌアングル２５及びフレーム２１には、予め同一高さにてボルト挿通孔が設けられている。このボルト挿通孔にボルト１５を通してＬアングル２５と壁パネル２０Ｂのフレーム２１とを次のようにして連結する。
【００３２】
第４図の通り、ボルト１５とナット１６とをボルト締め工具１にそれぞれ装着しておく。また、シャフト３を十分に後退させておく。このボルト締め工具１を壁パネル２０Ｂの裏側のスペースに差し込み、次いで第５図の通り対峙部１１をＬアングル２５の裏側に回り込ませる。これにより、ボルト１５とナット１６との間にフレーム２１とＬアングル２５とが介在した状態となる。
【００３３】
次いで、第６図の通りシャフト３を前進させ、ボルト１５をフレーム２１及びＬアングル２５のボルト挿通孔に通し、ナット１６に当接させる。次いで、電動工具によってシャフト３を回転させ、ボルト１５をナット１６にねじ込む。
【００３４】
ナット１６は、ねじ込み当初は、マグネット１４の吸引力及び摩擦力によってナット装着部１２内に回転しないで保持されているが、ボルト１５がナット１６に強くねじ込まれると、ボルト１５と共回りした後、緊結される。
【００３５】
そこで、電動工具を停止させ、第７図の通り、シャフト３を後退させ、ヘッド４をボルト１５から離反させる。次いで、カラム２及びそれと一体の延出体１０を前進させ、対峙部１１をナット１６から離反させ、第８図の通り、ボルト締め工具１を壁パネル２０Ｂの背後から若干遠ざける。その後、ボルト締め工具１を壁パネル２０Ｂの裏側から取り出す。
【００３６】
このようにして、壁パネル２０Ｂの裏側のスペースが狭い場合であっても、このスペースにボルト締め工具１を差し込んでボルト締め作業を効率よく行うことができる。また、壁パネル２０同士をボルトで連結するため、壁パネル２０に反りがある場合にこの反りを矯正することも可能である。
【００３７】
上記実施の形態は本発明の一例であり、本発明は図示以外の形態をもとりうる。
【００３８】
例えば、シャフト３を手動にて回転させるべくシャフト３の後端にハンドルを設けてもよい。
【００３９】
また、暗いスペースでもボルト締め作業を行い易くするために、カラム２の先端側や延出体１０に照明器具を設けてもよい。
【図面の簡単な説明】
【００４０】
【図１】実施の形態に係るボルト締め工具の斜視図である。
【図２】図１のボルト締め工具の平面図である。
【図３】図１のボルト締め工具の側面図である。
【図４】図１のボルト締め工具を用いた壁パネル連結作業を示す水平断面図である。
【図５】図１のボルト締め工具を用いた壁パネル連結作業を示す水平断面図である。
【図６】図１のボルト締め工具を用いた壁パネル連結作業を示す水平断面図である。
【図７】図１のボルト締め工具を用いた壁パネル連結作業を示す水平断面図である。
【図８】図１のボルト締め工具を用いた壁パネル連結作業を示す水平断面図である。
【符号の説明】
【００４１】
１  ボルト締め工具
２  カラム（シャフト支持体）
３  シャフト
４  ヘッド
５  ボルト装着部
１０  延出体
１１  対峙部
１２  ナット装着部
１４  マグネット
１５  ボルト
１６  ナット
２０  壁パネル
２１  フレーム
２２  下地板
２３  タイル
【図１】
2008279578.tif 000003
【図２】
2008279578.tif 000004
【図３】
2008279578.tif 000005
【図４】
2008279578.tif 000006
【図５】
2008279578.tif 000007
【図６】
2008279578.tif 000008
【図７】
2008279578.tif 000009
【図８】
2008279578.tif 000010